(57)【要約】【課題】キーをバックから照らすキーバックライトを制御して、キー操作性を損ねないようにしつつ、より消費電力を低減できる携帯端末及びキーバックライトの制御方法を提供する。【解決手段】キー操作部と、表示部と、前記キー操作部をバックら照らす輝度調整可能なキーバックライトとを備え、最終のキー操作から一定時間は通常の輝度でキーバックライトを点灯制御する携帯端末において、一定時間経過時に文字入力を必要とする画面が開いている場合、その後キー操作があるまで又は所定時間経過するまでキーバックライトを通常の輝度より低い低輝度で点灯させ、所定時間経過後にはキーバックライトを消灯制御する制御手段を備えたので、文字入力を必要とする画面を開いている場合は、輝度を低く制御して、消費電力を低減させることができると共に、キーの視認性も確保することができる。【選択図】      図５
2008236144.tif 000002
【特許請求の範囲】
【請求項１】
キー操作部と、このキー操作部で入力された文字や数字を表示する表示部と、前記キー操作部をバックから照らす輝度制御可能なキーバックライトとを備え、最終のキー操作から一定時間は通常の輝度でキーバックライトを点灯制御する携帯端末において、前記一定時間経過時に文字入力を必要とする画面が開いている場合、その後キー操作があるまで又は所定時間経過するまでキーバックライトを通常の輝度より低い低輝度に制御し、更に前記所定時間中にキー操作があるとバックライトを前記通常の輝度に制御し、前記一定時間経過時からキー操作がなく所定時間経過した時にはキーバックライトを消灯制御する制御手段を備えたことを特徴とする携帯端末。
【請求項２】
前記一定時間経過時に、文字入力を必要とする画面が開いている場合以外であれば、前記キーバックライトを消灯制御する制御手段を備えたことを特徴とする請求項1に記載の携帯端末。
【請求項３】
前記所定時間の間、あるいは前記キーバックライトを消灯させている時にキー操作があると、前記通常の輝度でキーバックライトを点灯する制御に制御を移行させる制御手段を備えたことを特徴とする請求項１又は２に記載の携帯端末。
【請求項４】
十字キー及び文字入力用の数字キーを有するキー操作部と、このキー操作部で入力された文字や数字を表示する表示部と、前記キー操作部をバックから照らす輝度制御可能な十字キーバックライト及び数字キーバックライトを備え、最終のキー操作から一定時間は通常の輝度で前記両キーバックライトを点灯制御する携帯端末において、前記一定時間経過時に文字入力中である場合、その後キー操作があるまで又は所定時間経過するまで前記数字キーバックライトを通常の輝度より低い低輝度に制御すると共に前記十字キーバックライトを消灯制御し、更に前記所定時間中にキー操作があると前記両キーバックライトを前記通常の輝度に制御し、前記一定時間経過時に文字変換中である場合、その後キー操作があるまで又は所定時間経過するまで前記十字キーバックライトを通常の輝度より低い低輝度に制御すると共に、前記数字キーバックライトを消灯制御し、更に、前記所定時間中にキー操作があると前記両キーバックライトを前記通常の輝度に制御し、更に、キー操作がなく前記所定時間が経過した場合には両キーバックライトを消灯制御する制御手段を備えたことを特徴とする携帯端末。
【請求項５】
前記一定時間経過時に、文字入力中である場合及び文字変換中である場合以外であれば、前記両キーバックライトを消灯制御する制御手段を備えたことを特徴とする請求項４に記載の携帯端末。
【請求項６】
前記両キーバックライトの一方を前記低輝度で点灯させている所定時間の間、あるいは前記キーバックライトを消灯させている時にキー操作があると、前記通常の輝度でキーバックライトを点灯させる制御に制御を移行させる制御手段を備えたことを特徴とする請求項４又は５に記載の携帯端末。
【請求項７】
キー操作部と、このキー操作部で入力された文字や数字を表示する表示部と、前記キー操作部をバックから照らす輝度制御可能なキーバックライトとを備え、最終のキー操作から一定時間は通常の輝度でキーバックライトを点灯制御する携帯端末におけるキーバックライトの制御方法において、前記一定時間経過時に表示部の画面状態を検知するステップと、このステップで文字入力を必要とする画面が開いていると検知されると、その後キー操作があるまで又は所定時間経過するまでキーバックライトを通常の輝度より低い低輝度に制御し、前記所定時間中にキー操作があるとバックライトを前記通常の輝度に制御するステップと、前記一定時間経過時からキー操作がなく前記所定時間が経過した時にはキーバックライトを消灯制御するステップとを備えたことを特徴とするキーバックライトの制御方法。
【請求項８】
前記一定時間経過時に、文字入力を必要とする画面が開いている場合以外であれは、前記キーバックライトを消灯制御するステップを備えたことを特徴とする請求項７に記載のキーバックライトの制御方法。
【請求項９】
前記所定時間の間、あるいは前記キーバックライトを消灯させている時にキー操作があると、前記通常の輝度でキーバックライトを点灯する制御に制御を移行するステップを備えたことを特徴とする請求項７又は８に記載のキーバックライトの制御方法。
【請求項１０】
十字キー及び文字入力用の数字キーを有するキー操作部と、このキー操作部で入力された文字や数字を表示する表示部と、前記キー操作部をバックから照らす輝度制御可能な十字キーバックライト及び数字キーバックライトを備え、最終のキー操作から一定時間は通常の輝度で前記両キーバックライトを点灯制御する携帯端末におけるキーバックライトの制御方法において、前記一定時間経過時に表示部の画面状態を検知するステップと、このステップで文字入力中であると検知された場合、その後キー操作があるまで又は所定時間経過するまで前記数字キーバックライトを通常の輝度より低い低輝度に制御すると共に前記十字キーバックライトを消灯制御し、更に前記所定時間中にキー操作があると前記両キーバックライトを前記通常の輝度に制御するステップと、前記画面状態を検知するステップで文字変換中であると検知された場合、その後キー操作があるまで又は所定時間経過するまで前記十字キーバックライトを通常の輝度より低い低輝度に制御し前記数字キーバックライトを消灯制御すると共に、前記所定時間中にキー操作があると前記両キーバックライトを前記通常の輝度に制御するステップと、前記一定時間経過時からキー操作がなく前記所定時間が経過した場合には前記両キーバックライトを消灯制御するステップとを備えたことを特徴とするキーバックライトの制御方法。
【請求項１１】
前記一定時間経過時に、文字入力中である場合か又は文字変換中である場合以外であれば、前記両キーバックライトを消灯制御するステップを備えたことを特徴とする請求項１０に記載のキーバックライトの制御方法。
【請求項１２】
前記両キーバックライトの一方を前記低輝度で点灯させている所定時間の間、あるいは前記両キーバックライトを消灯させている時にキー操作があると、前記最終のキー操作から一定時間、通常の輝度でキーバックライトを点灯する制御に制御を移行させるステップを備えたことを特徴とする請求項１０又は１１に記載のキーバックライトの制御方法。
【発明の詳細な説明】
【技術分野】
【０００１】
この発明は、キー操作部と、この操作部をバックから照らす輝度調整可能なキーバックライトとを有する携帯通信端末及びキーバックライトの制御方法に関するものである。
【背景技術】
【０００２】
キー操作を検出したときにキーバックライトを点灯させ、予め設定した時間毎にキーバックライトの輝度を段階的に下げ、所定の輝度まで達したときから所定時間経過後に消灯させることにより、キーバックライトにおける消費電力を低減したキーバックライトの制御方法は、特開２００４−２７４５７０号公報に記載されている。
【０００３】
また、最終キー入力から一定時間経過後、発光ダイオード（キーバックライト）を消灯制御しており、特に、文字、数字入力モードであるときは、最終キー入力から所定時間経過後でも、キーバックライトを点灯制御する携帯端末は、特開２００６−２６２５３３号公報に記載されている。
【０００４】
【特許文献１】特開２００４−２７４５７０号公報
【特許文献２】特開２００６−２６２５３３号公報
【発明の開示】
【発明が解決しようとする課題】
【０００５】
前述のキーバックライトの制御方法では、キーバックライトの輝度を段階的に下げており、それに伴い消費電力も低減されていると考えられるものの、所定の輝度まで段階的に輝度を下げており、一度に所定の輝度まで低減させることに比べると、まだまだ輝度制御による消費電力を低減する余地がある。しかも、キー操作がないことを条件として、輝度を段階的に下げているもので、全てのキー操作が終了しており再度のキー操作が早々に行われることがないであろうというときにおいても、所定の輝度での点灯制御を所定時間行っており、この場合は、消費電力が少なくなっているものの、まだ消費電力の無駄があると考えられる。
【０００６】
また、前述の携帯端末では、文字、数字入力モードでないとき発光ダイオードを消灯して消費電力を低減しているものの、文字、数字入力モードであればキーバックライトが点灯制御のままで、このときには輝度制御を行っておらず、消費電力の低減ができていなかった。また、一定時間経過後に発光ダイオードが消灯制御されていると、明るい場所では、そのキーの位置を確認でできるものの、やや暗い場所ではキー位置を確認できず、バックライトを点灯させるために何らかのキー操作をするユーザが多く、この場合、適当なキーを操作してしまうと、予想外の機能が動作したり、動作した機能があることにユーザが気づかなかったり、バックライト点灯後のキー操作を速やかに行うことができず、キーの操作性を犠牲にした省電力制御になっている。
【０００７】
本発明は、キーをバックから照らすキーバックライトを制御して、キー操作性を損ねないようにしつつ、より消費電力を低減できる携帯端末及びキーバックライトの制御方法を提供するものである。
【課題を解決するための手段】
【０００８】
本発明に係る携帯端末は、キー操作部と、このキー操作部で入力された文字や数字を表示する表示部と、前記キー操作部をバックから照らす輝度制御可能なキーバックライトとを備え、最終のキー操作から一定時間は通常の輝度でキーバックライトを点灯制御する携帯端末において、前記一定時間経過時に文字入力を必要とする画面が開いている場合、その後キー操作があるまで又は所定時間経過するまでキーバックライトを通常の輝度より低い低輝度に制御し、更に前記所定時間中にキー操作があるとバックライトを前記通常の輝度に制御し、前記一定時間経過時からキー操作がなく所定時間経過した時にはキーバックライトを消灯制御する制御手段を備えたものである。
【０００９】
また、前記一定時間経過時に、文字入力を必要とする画面が開いている場合以外では、前記キーバックライトを消灯制御する制御手段や、前記所定時間の間、あるいは前記キーバックライトを消灯させている時にキー操作があると、前記通常の輝度でキーバックライトを点灯させる制御に制御を移行させる制御手段を備えてもよい。
【００１０】
また、十字キー及び文字入力用の数字キーを有するキー操作部と、このキー操作部で入力された文字や数字を表示する表示部と、前記キー操作部をバックから照らす輝度制御可能な十字キーバックライト及び数字キーバックライトを備え、最終のキー操作から一定時間は通常の輝度で前記両キーバックライトを点灯制御する携帯端末において、前記一定時間経過時に、文字入力中である場合、その後キー操作があるまで又は所定時間経過するまで前記数字キーバックライトを通常の輝度より低い低輝度に制御し前記十字キーバックライトを消灯制御し、更に前記所定時間中にキー操作があると前記両キーバックライトを前記通常の輝度に制御し、前記一定時間経過時に文字変換中である場合、その後キー操作があるまで又は所定時間経過するまで前記十字キーバックライトを通常の輝度より低い低輝度に制御すると共に前記数字キーバックライトを消灯制御し、更に前記所定時間中にキー操作があると前記両キーバックライトを前記通常の輝度に制御し、キー操作がなく前記所定時間が経過した場合には両キーバックライトを消灯制御する制御手段を備えたものである。
【００１１】
また、前記一定時間経過時に、文字入力中である場合及び文字変換中である場合以外であれば、前記両キーバックライトを消灯制御する制御手段や、前記両キーバックライトの一方を前記低輝度で点灯させている所定時間の間、あるいは前記キーバックライトを消灯させている時にキー操作があると、前記最終のキー操作から一定時間、通常の輝度でキーバックライトを点灯させる制御に制御を移行させる制御手段を備えてもよい。
【００１２】
また、本発明に係るキーバックライトの制御方法は、キー操作部と、このキー操作部で入力された文字や数字を表示する表示部と、前記キー操作部をバックから照らす輝度制御可能なキーバックライトとを備え、最終のキー操作から一定時間は通常の輝度でキーバックライトを点灯制御する携帯端末におけるキーバックライトの制御方法において、前記一定時間経過時に表示部の画面状態を検知するステップと、このステップで文字入力を必要とする画面が開いていると検知されると、その後キー操作があるまで又は所定時間経過するまでキーバックライトを通常の輝度より低い低輝度に制御し、更に前記所定時間中にキー操作があるとバックライトを前記通常の輝度に制御するステップと、前記一定時間経過時からキー操作がなく前記所定時間が経過した時にはキーバックライトを消灯制御するステップとを備えたものである。
【００１３】
また、前記一定時間経過時に、文字入力を必要とする画面が開いている場合以外であれは、前記キーバックライトを消灯制御するステップや、前記所定時間の間、あるいは前記キーバックライトを消灯させている時にキー操作があると、前記通常の輝度でキーバックライトを点灯させる制御に制御を移行するステップを備えてもよい。
【００１４】
また、十字キー及び文字入力用の数字キーを有するキー操作部と、このキー操作部で入力された文字や数字を表示する表示部と、前記キー操作部をバックから照らす輝度制御可能な十字キーバックライト及び数字キーバックライトを備え、最終のキー操作から一定時間は通常の輝度で前記両キーバックライトを点灯制御する携帯端末におけるキーバックライトの制御方法において、前記一定時間経過時に表示部の画面状態を検知するステップと、このステップで文字入力中であると検知された場合、その後キー操作があるまで又は所定時間経過するまで前記数字キーバックライトを通常の輝度より低い低輝度に制御すると共に前記十字キーバックライトを消灯制御し、更に前記所定時間中にキー操作があると前記両キーバックライトを前記通常の輝度に制御するステップと、前記画面状態を検知するステップで文字変換中であると検知された場合、その後キー操作があるまで又は所定時間経過するまで前記十字キーバックライトを通常の輝度より低い低輝度に制御すると共に前記数字キーバックライトを消灯制御し、更に前記所定時間中にキー操作があると前記両キーバックライトを前記通常の輝度に制御するステップと、前記一定時間経過時からキー操作がなく前記所定時間が経過した時には前記両キーバックライトを消灯制御するステップとを備えたものである。
【００１５】
また、前記一定時間経過時に、文字入力中である場合及び文字変換中である場合以外であれば、前記両キーバックライトを消灯制御するステップや、前記両キーバックライトの一方を前記低輝度で点灯させている所定時間の間、あるいは前記キーバックライトを消灯させている時にキー操作があると、前記最終のキー操作から一定時間、通常の輝度でキーバックライトを点灯させる制御に制御を移行させるステップを備えてもよい。
【発明の効果】
【００１６】
このような本発明によれば、次に記載するような効果を奏する。
【００１７】
本発明の携帯端末やキーバックライトの制御方法によれば、キー操作がない場合でも、文字入力を必要とする画面が開いているか、あるいは文字入力中や文字変換中であれば、一定時間経過後からは低輝度に制御しているので、キーの照明に要する消費電力を低減することができる。しかも、キー入力の再開時にも低輝度の照度でキーが照らされているので、キーバックライトが消灯された時に比べて、操作すべきキーを視認し易く、キー操作の再開時にその操作を開始し易くすることができる。
【発明を実施するための最良の形態】
【００１８】
本発明の実施例について、最初に図１〜図４に基づき説明する。
【００１９】
まず、外観構成について説明する。図１は携帯電話の外観図である。
【００２０】
この図1に示す１０１は携帯電話で、音声通信の機能や、メールの送受信機能などのデータ通信機能を備えている。１０２はキー操作部で、英文字及び数字入力用（文字入力用）の数字キー１０３や、カーソルを上下左右に動かしたり決定操作を行うための十字キー１０４やその他の機能を制御するためのキー１０５などが配置されており、使用者が電話帳登録やメール作成、各種設定などを行うことができるものである。１０６は液晶パネルを用いた表示部で、通話目的で入力された電話番号や送受信したメールやインターネット接続時に各種コンテンツなどを表示できるものである。１０７はスピーカで、キー操作部１０２の右上に配置されており、着信やメール受信を報知するためのものである。１０８はマイクで、キー操作部１０２の下方の中央に配置されており、音声通信時に使用される。１０９はレシーバで、表示部の上方の中央に配置されており、音声通信時に使用される。
【００２１】
尚、携帯端末として、この実施の形態の携帯電話１０１だけではなく、ＰＤＡ（Personal Digital Assistants、個人用携帯情報端末）やＰＨＳ（Personal Handy-phone System）などを利用しても構わない。
【００２２】
次に、機能構成について説明する。図２は本発明の携帯電話の機能構成を示すブロック図である。
【００２３】
図２に示す２０１はアンテナで、音声通信やデータ通信の際に利用されるものである。２０２は無線部で、アンテナ２０１で受けた電波を処理し後述の制御部に送り、制御部からのデータを、アンテナ２０１から送信するためのものである。
【００２４】
２０３は制御部で、内部に演算処理を行うためのＣＰＵ（中央処理装置、Central Processing Unit）２０４や各種のプログラムやデータを保存するためのメモリ２０５やその他の制御回路（図示せず）などを備えている。この制御部２０３は、メモリ２０５に保存されている制御プログラムに従ってＣＰＵ２０４が演算処理を行い、各制御を行っているので、請求項に記載の制御手段に相当する。
【００２５】
２０６は音声処理部で、制御部２０３からの入力されるデジタル信号である音声信号をアナログ信号に変えてレシーバ１０９より出力するものである。また、この音声処理部２０６は、マイク１０８より入力された音声をデジタル信号に変換し、制御部２０３へ送る。制御部２０３はその入力したその信号を送信データに変換し、無線部２０２にて、変調し規定の周波数の搬送波として増幅し、アンテナ２０１より送信を行う。
【００２６】
前記制御部２０３は、キー操作部１０２を監視し、十字キー１０４で決定を示す操作や上下左右に移動する操作に基づく処理を行い、数字キー１０３で日本語や英数字の入力を行うために動作する。
【００２７】
キーバックライト２０７は、十字キーバックライト２０８と数字キーバックライト２０９から構成されている。この十字キーバックライト２０８は、十字キー１０４をバックから照らすものであり、更に、キー１０５のバックから照らす機能も兼用させている。
【００２８】
制御部２０３は、十字キーバックライト２０８と数字キーバックライト２０９それぞれをPulse Width Modulation制御（ＯＮ／ＯＦＦ制御）し、点灯、消灯、輝度調整を行うものである。以降、Pulse Width ModulationをＰＷＭと記載する。
【００２９】
図３は携帯電話の画面とバックライトとの輝度制御を示す説明図である。
【００３０】
説明３０１、３０２の何れもメール作成時における画面構成とバックライトの輝度制御とを説明するものである。そして、説明３０１に示すように、メール作成時で、文字入力中における表示は、入力した文字を表示するウィンドウ（「文字入力ウィンドウ３０３」と記す）と、入力した文字の変換候補を表示するウィンドウ（「文字変換候補ウィンドウ３０４」とする）と、確定した文字を表示するウィンドウ（「文字確定ウィンドウ３０５」とする）とで構成されている。
【００３１】
説明３０１は、入力済みの「今日の天気は」を文字確定ウィンドウ３０５に表示中に、文字入力ウィンドウ３０３にて「はれ」を入力した後、文字変換候補ウィンドウ３０４にて「晴れ」を選択中の状態を示している。
【００３２】
この場合、キー操作が検出され、一定時間を検知する後述のタイマ１がタイムアウトするまでキーバックライトが高輝度である輝度１（通常の輝度）で点灯制御され、その後、所定時間を検知する後述のタイマ２がタイムアウトするまでキーバックライトが低輝度である輝度２（前記通常の輝度より低い低輝度）で点灯制御され、その後キーバックライトは消灯制御される。
【００３３】
説明３０２は、メール作成時で、全文字の入力が確定した後の文字確定ウィンドウ３０５のみで表示された状態を示している。この説明３０２では、「今日の天気は晴れ」を表示中の状態を示し、この場合（文字入力を必要とする画面が開いていない場合、文字入力中の画面ではない場合、文字変換中の画面でない場合）、タイマ１がタイムアウトするまでキーバックライトが輝度１で点灯制御され、その後キーバックライトが消灯制御される。キーバックライトが消灯されている状態でも、キー操作が検出されるときバックライトの輝度は再び輝度１に点灯制御される。
【００３４】
ここで、輝度の具体的な例について、図４を用いて説明する。図４は、携帯電話での点灯制御に用いるＰＷＭ値の輝度テーブルを示す説明図である。
【００３５】
図４で、輝度１（通常の輝度）のＰＷＭ値９０％の場合は、バックライトＯＮ／ＯＦＦのＯＮ期間を９０％とし、輝度２（通常の輝度より輝度の低い低輝度）のＰＷＭ値２０％の場合は、ＯＮ／ＯＦＦのＯＮ期間を２０％としている。輝度１は通常のキーのバックライトが点灯していることが判る輝度であるが、この輝度１より輝度の低い輝度２は、暗闇（あるいは、やや暗いとき）でもキー配置が視認できる程度のやや低い輝度に設定している。
【００３６】
次に、本発明の第1実施例について、図５に基づき説明する。図５は第1実施例の制御を示すフローチャートである。
【００３７】
この図５に示すステップ５０１（以下、ステップを「Ｓ」と記載する）でキー操作が検出された場合、Ｓ５０２でキーバックライト２０７（十字キーバックライト２０８と数字キーバックライト２０９）を輝度１（通常の輝度）で点灯するよう、制御部２０３により制御される。
【００３８】
そして、Ｓ５０３でタイマ１がスタートし、Ｓ５０４でタイマ１がタイムアウトした（一定時間が経過した）か否かを検知されている。Ｓ５０４でタイマ１がタイムアウトする前にＳ５０５でキー操作が検出された場合、制御がＳ５０２に移行する。
【００３９】
Ｓ５０４でタイムアウトしたことが検知された場合、Ｓ５０６でメール作成時であり文字入力中又は文字変換候補選択中（文字変換中）か、あるいはそれ以外であるかが検知される。メール作成時で、文字入力中又は文字変換候補選択中であれば、Ｓ５０７でキーバックライト２０７（十字キーバックライト２０８と数字キーバックライト２０９）の輝度が輝度２（低輝度）に変更され、Ｓ５０８でタイマ２がスタートする。
【００４０】
Ｓ５０９でタイマ２がタイムアウトした（所定時間が経過した）ことが検知された場合、Ｓ５１１でキーバックライト２０７（十字キーバックライト２０８と数字キーバックライト２０９）が消灯制御される。
【００４１】
また、Ｓ５０９でタイマ２がタイムアウトする前にＳ５１０でキー操作が検出された場合、制御がＳ５０２に移行し、Ｓ５０２でキーバックライト２０７（十字キーバックライト２０８と数字キーバックライト２０９）が輝度１に点灯制御される。
【００４２】
このように動作する第１実施例の発明によれば、次の効果を奏する。
【００４３】
キー操作後の一定時間のキーバックライト２０７点灯に加え、所定時間低輝度でのキーバックライト２０７点灯を行っているので、消費電力を抑えつつユーザにキー位置を認識させることができる。このため、従来のもののように、メール作成時などの文字入力画面において、暗闇でキーを視認できずに任意のキーを操作してキーバックライトを点灯させるような煩わしい操作を行わずに済む。
【００４４】
また、この発明によれば、一定時間経過時に、文字入力を必要とする画面が開いている場合以外であれば、キーバックライト２０７を消灯制御しているので、一定時間経過時に画面の状態を検知し、その検知した画面の状態に応じて低輝度制御や消灯制御などの最適な制御を行い、消費電力の低減を図っている。
【００４５】
更に、所定時間の間、あるいはキーバックライト２０７を消灯させている時にキー操作があると、前記通常の輝度でキーバックライト２０７を点灯する制御に制御を移行させているので、従来のものと同様、キーの視認性を確保でき、操作性を損ねることもない。
【００４６】
尚、この実施例では、実施例では、メール作成時の文字入力中か又は文字変換候補選択中かで、低輝度に制御する条件としたが、これ以外の文字入力を必要とする画面が開いているときの条件で低輝度に制御するようにしても構わない。その条件とは、例えば、メール作成の画面を開いており、まだ、文字入力が開始されていないときや、メモ帳の編集機能使用中のときや、アドレス帳の編集機能使用中のときや、他のアプリケーションにおいて文字入力を必要とする画面が開いているときなどがある。
【００４７】
次に第２実施例について、図６に基づき説明する。図６は第２実施例の制御を示すフローチャートである。
【００４８】
図６に示すＳ６０１でキー操作が検出された場合、Ｓ６０２でキーバックライト２０７（十字キーバックライト２０８と数字キーバックライト２０９）が輝度１（通常の輝度）で点灯制御される。そして、Ｓ６０３でタイマ１がスタートし、Ｓ６０４でタイマ１がタイムアウトした（一定時間が経過した）か否かが検知される。そして、Ｓ６０４でタイマ１がタイムアウトする前にＳ６０５でキー操作が検出された場合、制御がＳ６０２に移行する。
【００４９】
Ｓ６０４でタイマ１がタイムアウトしたことが検知された場合、Ｓ６０６でメール作成時であり文字変換候補選択中であれば、Ｓ６０８で十字キーバックライト２０８が輝度２（低輝度）に変更され、数字キーバックライト２０９がＯＦＦされ（消灯制御され）、Ｓ６１０でタイマ２がスタートする。
【００５０】
Ｓ６０６でメール作成時であり文字変換候補選択中でなく、Ｓ６０７で文字入力中であると検知されると、Ｓ６０９で十字キーバックライト２０８がＯＦＦされ、数字キーバックライト２０９が輝度２に制御され、Ｓ６１０でタイマ２がスタートする。また、Ｓ６０７で文字入力中でないと検知されると、制御がＳ６０２に移行する。
【００５１】
また、Ｓ６１１でタイマ２がタイムアウトする前に、Ｓ６１２でキー操作が検出された場合、制御がＳ６０２に移行する。
【００５２】
そして、Ｓ６１１でタイマ２がタイムアウトした（所定時間が経過した）ことを検知された場合、Ｓ６１３で十字キーバックライト２０８と数字キーバックライト２０９が消灯される。Ｓ６０４でタイマ１がタイムアウトする前にＳ６０５でキー操作を検出した場合、Ｓ６０２に制御が移行する。
【００５３】
このように動作する第２実施例の発明によれば、次の効果を奏する。
【００５４】
十字キーバックライト２０８と数字キーバックライト２０９の点灯、消灯、輝度調整を別々に制御し、一定時間経過時からの低輝度制御において、十字キー１０４の操作が必要となる画面と数字キー１０３の操作が必要な画面とで、十字キーバックライト２０８と数字キーバックライト２０９の何れか必要とするバックライトを低輝度で点灯制御している。これにより、キーを視認できずに任意のキーを操作してキーバックライトを点灯する煩わしい従来のメール作成時の操作をなくしつつ、十字キー１０４か数字キー１０３かのユーザ操作の誘導を可能とし、また、必要箇所のキーバックライトのみ低輝度で点灯制御することで、第1実施例のものよりも更に消費電力低減の効果がある。
【００５５】
また、この発明によれば、一定時間経過時に、文字入力中であるか文字変換中である場合以外であれば、十字キーバックライト２０８及び数字キーバックライト２０９を消灯制御しているので、一定時間経過時に画面の状態を検知して、その検知した画面の状態に応じて低輝度制御や、消灯制御などの最適な制御を行って、消費電力の低減を図っている。
【図面の簡単な説明】
【００５６】
【図１】本発明の携帯電話の外観を示す正面図である。
【図２】同携帯電話の機能構成を示すブロック図である。
【図３】同携帯電話の画面とバックライトの輝度制御とを示す説明図である。
【図４】同携帯電話での点灯制御に用いるＰＷＭ値の輝度テーブルを示す説明図である。
【図５】本発明の第1実施例の携帯電話での制御を示すフローチャートである。
【図６】本発明の第２実施例の携帯電話での制御を示すフローチャートである。
【符号の説明】
【００５７】
１０１      携帯電話
１０２      キー操作部
１０３      数字キー
１０４      十字キー
１０５      キー
１０６      表示部
１０７      スピーカ
１０８      マイク
１０９      レシーバ
２０１      アンテナ
２０２      無線部
２０３      制御部
２０４      ＣＰＵ
２０５      メモリ
２０６      音声処理部
２０７      キーバックライト
２０８      十字キーバックライト
２０９      数字キーバックライト
【図１】
2008236144.tif 000003
【図２】
2008236144.tif 000004
【図３】
2008236144.tif 000005
【図４】
2008236144.tif 000006
【図５】
2008236144.tif 000007
【図６】
2008236144.tif 000008